(57)【特許請求の範囲】
【請求項１】
メッセージを送信するサービスセンターであって、
送信したメッセージの情報として、メッセージ番号、送信先アドレスおよびメッセージの長さを記憶する記憶手段と、
メッセージを送信する際に、前記記憶手段に記憶された情報に基づき、すでに送信したメッセージと同一であるか否かを判断する判断手段と、
前記判断手段の判断の結果、同一でない場合にはメッセージを送信し、同一である場合にはメッセージを送信しないメッセージ送信手段と
を備えたことを特徴とするサービスセンター。
【請求項２】
移動機のメッセージを送信するサービスセンターであって、
送信したメッセージの情報を記憶する記憶手段と、
メッセージを送信する際に、前記記憶手段に記憶された情報に基づき、すでに送信したメッセージと同一であるか否かを判断する判断手段と、
前記判断手段の判断の結果、同一でない場合にはメッセージを送信し、同一である場合にはメッセージを送信しないメッセージ送信手段と
を備えたことを特徴とするサービスセンター。
【請求項３】
請求項２に記載のサービスセンターであって、前記情報はメッセージ番号であることを特徴とするサービスセンター。
【請求項４】
請求項２に記載のサービスセンターであって、前記情報はメッセージ番号、送信先アドレスおよびメッセージの長さであることを特徴とするサービスセンター。
【請求項５】
請求項１ないし４のいずれかに記載のサービスセンターであって、前記メッセージはショートメッセージであることを特徴とするサービスセンター。
【請求項６】
メッセージを送信する送信端末と、前記送信端末から受信したメッセージを送信するサービスセンターと、前記サービスセンターと前記送信端末との間に位置する課金装置とを備えたメッセージサービスシステムであって、
前記サービスセンターは、
送信したメッセージの情報を記憶する記憶手段と、
メッセージを送信する際に、前記記憶手段に記憶された情報に基づき、すでに送信したメッセージと同一であるか否かを判断する判断手段と、
前記判断手段の判断の結果、同一でない場合には第１応答信号を、同一である場合には前記第１応答信号とは異なる第２応答信号を、メッセージの送信元の前記送信端末に送信する応答信号送信手段とを有し、
前記課金装置は、前記第１応答信号を中継した際には課金を行い、前記第２応答信号を中継した際には課金を行わない課金手段を有することを特徴とするメッセージサービスシステム。
【請求項７】
請求項６に記載のメッセージサービスシステムであって、前記サービスセンターは、前記判断手段の判断の結果、同一でない場合にはメッセージを送信し、同一である場合にはメッセージを送信しないメッセージ送信手段をさらに備えることを特徴とするメッセージサービスシステム。
【請求項８】
請求項６または７に記載のメッセージサービスシステムであって、前記情報はメッセージ番号であることを特徴とするメッセージサービスシステム。
【請求項９】
請求項６または７に記載のメッセージサービスシステムであって、前記情報はメッセージ番号、送信先アドレスおよびメッセージの長さであることを特徴とするメッセージサービスシステム。
【請求項１０】
請求項６ないし９のいずれかに記載のメッセージサービスシステムであって、前記メッセージはショートメッセージであることを特徴とするメッセージサービスシステム。
【請求項１１】
請求項６ないし１０のいずれかに記載のメッセージサービスシステムであって、前記課金装置は交換機であることを特徴とするメッセージサービスシステム。
【請求項１２】
請求項１ないし５のいずれかに記載のサービスセンターと、該サービスセンターと通信を行う移動機とを備えたことを特徴とする移動通信システム。
【請求項１３】
請求項６ないし１１のいずれかに記載のメッセージサービスシステム備えた移動通信システムであって、前記送信端末は移動機であることを特徴とする移動通信システム。
【発明の詳細な説明】
【０００１】
【発明の属する技術分野】
本発明は、メッセージサービスにおいて、二重送信および／または二重課金を防止するサービスセンター、メッセージサービスシステム、移動通信システム、メッセージ送信方法および課金方法に関する。
【０００２】
【従来の技術】
従来のメッセージサービスにおいて、移動機のユーザは、例えばサービスセンターを介して、他の移動機にメッセージ（例えば、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）規格のショートメッセージ）を送信することができる。
【０００３】
図１は、従来のメッセージサービスを行う移動通信システムの構成例を示す図である。図１に示す移動通信システムは、サービスセンター１１１、ゲート交換機１２１、交換機１３１、１３２、ＨＬＲ（ホームロケーションレジスタ）１４１、および移動機１５１、１５２を備える。なお、図１においては、１つのサービスセンター（サービスセンター１１１）しか示していないが、サービスセンターは複数存在してもよい。
【０００４】
図２は、メッセージ送信を説明するための図である。ここでは、サービスセンターはメッセージの発信者ごとに割り当てられているものとする。例えば、移動機１５１（のユーザ）は、自己を収容するサービスセンター（サービスセンター１１１とする）に対してメッセージ送信を要求することができる。すなわち、移動機１５１は、サービスセンター１１１を介して移動機１５２にメッセージを送信することができる。
【０００５】
従来のメッセージサービスにおいて、メッセージ送信に対する課金は、主として、サービスセンター１１１と移動機１５１、１５２との間の交換機１３１、１３２が行っていた。
【０００６】
【発明が解決しようとする課題】
図３は、従来の移動通信システムにおける移動機、交換機、ゲート交換機およびサービスセンターの間のやりとりの第１の例を示す図である。移動機が交換機およびゲート交換機を介してサービスセンターにメッセージを送信したとする。サービスセンターは受信したメッセージを送信先の移動機に送信する。そして、メッセージ送信元の移動機に対しては、メッセージを受信したことを知らせる応答信号（ＲＰ−ＡＣＫ）を送信する。移動機はこの応答信号を受信することによりサービスセンターがメッセージを受信したことを知る。交換機はこの応答信号を中継した際に、例えばメッセージの送信元の移動機のユーザに関して課金を行う。
【０００７】
図４は、従来の移動通信システムにおける移動機、交換機、ゲート交換機およびサービスセンターの間のやりとりの第２の例を示す図である。図３のやりとりにおいて、サービスセンターからメッセージ送信元の移動機に向けて送信された応答信号が、交換機には到達したが、何らかの理由で移動機には到達しなかったものとする。この場合、交換機において課金は行われる。移動機ではサービスセンターがメッセージを受信したことを確認できないので、例えばメッセージ送信後一定時間が経つと、メッセージをサービスセンターに向けて再送する。再送されたメッセージがサービスセンターに到達すると、サービスセンターはそのメッセージが再送メッセージであることを認識できないので、そのメッセージを送信先の移動機に向けて送信してしまう（二重送信）。さらに、サービスセンターは、メッセージ送信元の移動機に向けて応答信号（ＲＰ−ＡＣＫ）を送信するので、この応答信号を中継した交換機は再送メッセージに関して課金を行ってしまう（二重課金）。
【０００８】
そこで、本発明の目的は、メッセージサービスにおいて、二重送信を防止することである。また、二重課金を防止することである。
【０００９】
【課題を解決するための手段】
上記目的を達成するために、請求項１に記載の発明は、メッセージを送信するサービスセンターであって、送信したメッセージの情報として、メッセージ番号、送信先アドレスおよびメッセージの長さを記憶する記憶手段と、メッセージを送信する際に、前記記憶手段に記憶された情報に基づき、すでに送信したメッセージと同一であるか否かを判断する判断手段と、前記判断手段の判断の結果、同一でない場合にはメッセージを送信し、同一である場合にはメッセージを送信しないメッセージ送信手段とを備えたことを特徴とする。
請求項２に記載の発明は、移動機のメッセージを送信するサービスセンターであって、送信したメッセージの情報を記憶する記憶手段と、メッセージを送信する際に、前記記憶手段に記憶された情報に基づき、すでに送信したメッセージと同一であるか否かを判断する判断手段と、前記判断手段の判断の結果、同一でない場合にはメッセージを送信し、同一である場合にはメッセージを送信しないメッセージ送信手段とを備えたことを特徴とする。
【００１０】
請求項３に記載の発明は、請求項２に記載のサービスセンターであって、前記情報はメッセージ番号であることを特徴とする。
【００１１】
請求項４に記載の発明は、請求項２に記載のサービスセンターであって、前記情報はメッセージ番号、送信先アドレスおよびメッセージの長さであることを特徴とする。
【００１２】
請求項５に記載の発明は、請求項１ないし４のいずれかに記載のサービスセンターであって、前記メッセージはショートメッセージであることを特徴とする。
【００１３】
請求項６に記載の発明は、メッセージを送信する送信端末と、前記送信端末から受信したメッセージを送信するサービスセンターと、前記サービスセンターと前記送信端末との間に位置する課金装置とを備えたメッセージサービスシステムであって、前記サービスセンターは、送信したメッセージの情報を記憶する記憶手段と、メッセージを送信する際に、前記記憶手段に記憶された情報に基づき、すでに送信したメッセージと同一であるか否かを判断する判断手段と前記判断手段の判断の結果、同一でない場合には第１応答信号を、同一である場合には前記第１応答信号とは異なる第２応答信号を、メッセージの送信元の前記送信端末に送信する応答信号送信手段とを有し、前記課金装置は、前記第１応答信号を中継した際には課金を行い、前記第２応答信号を中継した際には課金を行わない課金手段を有することを特徴とする。
【００１４】
請求項７に記載の発明は、請求項６に記載のメッセージサービスシステムであって、前記サービスセンターは、前記判断手段の判断の結果、同一でない場合にはメッセージを送信し、同一である場合にはメッセージを送信しないメッセージ送信手段をさらに備えることを特徴とする。
【００１５】
請求項８に記載の発明は、請求項６または７に記載のメッセージサービスシステムであって、前記情報はメッセージ番号であることを特徴とする。
【００１６】
請求項９に記載の発明は、請求項６または７に記載のメッセージサービスシステムであって、前記情報はメッセージ番号、送信先アドレスおよびメッセージの長さであることを特徴とする。
【００１７】
請求項１０に記載の発明は、請求項６ないし９のいずれかに記載のメッセージサービスシステムであって、前記メッセージはショートメッセージであることを特徴とする。
【００１８】
請求項１１に記載の発明は、請求項６ないし１０のいずれかに記載のメッセージサービスシステムであって、前記課金装置は交換機であることを特徴とする。
【００１９】
請求項１２に記載の発明は、移動通信システムであって、請求項１ないし５のいずれかに記載のサービスセンターと、該サービスセンターと通信を行う移動機とを備えたことを特徴とする。
【００２０】
請求項１３に記載の発明は、請求項６ないし１１のいずれかに記載のメッセージサービスシステムを備えた移動通信システムであって、前記送信端末は移動機であることを特徴とする。
【００３１】
以上の構成によれば、メッセージサービスにおいて、二重送信を防止することができる。また、二重課金を防止することができる。
【００３２】
【発明の実施の形態】
以下、図面を参照しつつ本発明の実施の形態について詳しく説明する。
【００３３】
図５は、本発明の実施形態に係るメッセージサービスを行う移動通信システムの構成例を示す図である。図５に示す移動通信システムは、サービスセンター１１、ゲート交換機２１、交換機３１、３２、ＨＬＲ４１、および移動機５１、５２を備える。なお、図５においては、１つのサービスセンター（サービスセンター１１）しか示していないが、サービスセンターは複数存在してもよい。本実施形態において行うメッセージサービスは、ＧＳＭ規格のショートメッセージサービスであるが、本発明は他のメッセージサービスにも適用できる。
【００３４】
図６は、本実施形態に係る移動通信システムにおける移動機、交換機、ゲート交換機およびサービスセンターの間のやりとりの例を示す図である。本実施形態においては、交換機で課金を行う。課金を行う場所は移動機とサービスセンターとの間であれば他の場所でもよい。課金は、例えば交換機で明細ビルを発行し、それを明細センターへ送信することにより行う。
【００３５】
移動機が交換機およびゲート交換機を介してサービスセンターにメッセージを送信したとする。サービスセンターは、受信したメッセージを送信先の移動機に送信する際に、そのメッセージがすでに送信したメッセージと同一か否かの判断を行い、同一でない場合にはメッセージの送信を行い、同一である場合（メッセージが再送メッセージである場合）にはメッセージの送信を行わない。すでに送信したメッセージと同一か否かの判断については以下で説明する。ここでの例では、すでに送信したメッセージと同一でないものとして、メッセージを送信先の移動機に送信するものとする。
【００３６】
ここで、サービスセンターは記憶装置を有し、送信したメッセージの情報を記憶する。本実施形態では、情報として３つのパラメータ（メッセージ番号、送信先アドレスおよびメッセージの長さ）を記憶する。
【００３７】
図７は、ＧＳＭ規格において、ショートメッセージを移動機からサービスセンターに送信する際に用いられる信号フォーマット（ＳＭＳ−ＳＵＢＭＩＴタイプ、トランスポートレイヤ）を示す図である。メッセージ番号はパラメータ“（６）ＴＰ−ＭＲ（Ｍｅｓｓａｇｅ  Ｒｅｆｅｒｅｎｃｅ）”として設定され、送信先アドレス（着信者移動機アドレス）はパラメータ“（８）ＴＰ−ＤＡ（Ｄｅｓｔｉｎａｔｉｏｎ  Ａｄｄｒｅｓｓ）”として設定され、メッセージの長さはパラメータ“（１６）ＴＰ−ＵＤＬ（Ｕｓｅｒ  Ｄａｔａ  Ｌｅｎｇｔｈ）”として設定される。本実施形態においては、このＧＳＭ規格に従って、移動機からサービスセンターにメッセージおよびその情報を送信している。ただし、メッセージ番号等のパラメータはＧＳＭ規格外のものとすることもできる。
【００３８】
図６に戻り、サービスセンターは、メッセージを受信した後、そのメッセージの送信元の移動機に向けて、メッセージを受信したことを知らせる応答信号（ＲＰ−ＡＣＫ）を送信する。
【００３９】
ここで、図４のやりとりと比較するために、サービスセンターからメッセージ送信元の移動機に向けて送信された応答信号が、交換機には到達したが、何らかの理由で移動機には到達しなかったものとする。この場合、図６においても、交換機において課金は行われる。移動機ではサービスセンターがメッセージを受信したことを確認できないので、例えばメッセージ送信後一定時間が経つと、メッセージをサービスセンターに向けて再送する。
【００４０】
再送されたメッセージがサービスセンターに到達すると、サービスセンターはそのメッセージ（現メッセージ）がすでに送信したメッセージと同一であるか否かについて判断する。判断は記憶しておいた情報（３つのパラメータ）に基づき行う。すなわち、現メッセージの３つのパラメータがすでに送信したメッセージの３つのパラメータとすべて一致する場合には両メッセージが同一であると判断し、１つでも一致しない場合には両メッセージが同一でないと判断する。ここでの例では、現メッセージが再送メッセージであるので、３つのパラメータは一致し、現メッセージ（再送メッセージ）は送信されないことになる。本実施形態では現メッセージ（再送メッセージ）を破棄する。このようにして同一メッセージの二重送信が防止される。
【００４１】
ここで、メッセージ番号のパラメータ、すなわちＴＰ−ＭＲは送信元の移動機が付加する番号であり、その移動機がメッセージを１つ送信すると１つ増える。ただし、ＴＰ−ＭＲは最大値が２５５であり、０から２５５までの値を繰り返す。したがって、ＴＰ−ＭＲが一致しても同一メッセージでない場合がある。そのため、本実施形態では同一メッセージか否かの判断の確実のため、ＴＰ−ＭＲの他に、パラメータＴＰ−ＤＡ（送信先アドレス）およびＴＰ−ＵＤＬ（メッセージの長さ）をも用いている。ただし、メッセージ番号のみで同一メッセージか否かを判断するようにすることもできる。
【００４２】
サービスセンターは、受信したメッセージがすでに送信したメッセージと同一であると判断し、そのメッセージの送信を行わなかった場合には、送信を行った場合の応答信号（ＲＰ−ＡＣＫ）とは異なる応答信号（ＲＰ−ＥＲＲＯＲ）をメッセージ送信元の移動機に送信する。移動機はこの応答信号を受信することによりサービスセンターがすでにメッセージを送信したことを知る。交換機はこの応答信号を中継した場合には課金を行わない。このようにして同一メッセージに対する二重課金が防止される。
【００４３】
本実施形態においては、３つのパラメータ（メッセージ番号、送信先アドレスおよびメッセージの長さ）を用いて同一メッセージか否かの判断を行っているが、これらのパラメータの一部やこれらのパラメータ以外のパラメータを用いて判断を行うようにしてもよい。
【００４４】
【発明の効果】
以上説明したように本発明によれば、メッセージサービスにおいて、二重送信を防止することができる。また、二重課金を防止することができる。
【図面の簡単な説明】
【図１】従来のメッセージサービスを行う移動通信システムの構成例を示す図である。
【図２】メッセージ送信を説明するための図である。
【図３】従来の移動通信システムにおける移動機、交換機、ゲート交換機およびサービスセンターの間のやりとりの第１の例を示す図である。
【図４】従来の移動通信システムにおける移動機、交換機、ゲート交換機およびサービスセンターの間のやりとりの第２の例を示す図である。
【図５】本発明の実施形態に係るメッセージサービスを行う移動通信システムの構成例を示す図である。
【図６】本発明の実施形態に係る移動通信システムにおける移動機、交換機、ゲート交換機およびサービスセンターの間のやりとりの例を示す図である。
【図７】ＧＳＭ規格において、ショートメッセージを移動機からサービスセンターに送信する際に用いられる信号フォーマット（ＳＭＳ−ＳＵＢＭＩＴタイプ、トランスポートレイヤ）を示す図である。
【符号の説明】
１１、１１１  サービスセンター
２１、１２１  ゲート交換機
３１、３２、１３１、１３２  交換機
４１、１４１  ＨＬＲ
５１、５２、１５１、１５２  移動機
【図１】
0003616551.tif 000002
【図２】
0003616551.tif 000003
【図３】
0003616551.tif 000004
【図４】
0003616551.tif 000005
【図５】
0003616551.tif 000006
【図６】
0003616551.tif 000007
【図７】
0003616551.tif 000008